(57)【要約】【課題】吊り部材接続用金具と天井下地をより強固に接続することができ、天井材の落下等をより確実に抑止することを可能にする吊り天井構造及び吊り部材接続用金具を提供する。【解決手段】吊り部材接続用金具１５が、吊り部材２の下端側を接続するための連結部２１と、連結部２１から下方に延設された連接板部１９と、連接板部１９の下端に繋がって天井材支持部材１に接続される係止部１８とを備える。また、係止部１８を、上方から下方に向かって延設された垂下部１８ａと、垂下部１８ａの下端から横方向に折れ曲がって延びる引掛け部１８ｂと、引掛け部１８ｂからさらに折れ曲がって上方に向けて延設された係止片部１８ｃとを備えて略鉤状に形成する。【選択図】図１
2015074890.tif 000002
【特許請求の範囲】
【請求項１】
建物の上部構造に吊り部材を介して吊り下げ支持され、水平の一方向及び／又は前記一方向に直交する水平の他方向に所定の間隔をあけ、前記他方向及び／又は前記一方向に延設される天井材支持部材と、前記天井材支持部材に支持されて天井面を形成する板状の天井材とを備える吊り天井構造であって、
前記天井材支持部材が、前記吊り部材の下端が吊り部材接続用金具を介して接続される接続部と、前記接続部の下端に繋がり、前記接続部から下方に延設された連接部と、前記連接部の下端に繋がり、前記一方向両側に延びる板状の支持部とを備えて断面逆Ｔ字型に形成されており、
前記吊り部材接続用金具は、前記吊り部材の下端側を接続するための連結部と、前記連結部から下方に延設された連接板部と、前記連接板部の下端に繋がって前記天井材支持部材に接続される係止部とを備え、
前記係止部が、上方から下方に向かって延設された垂下部と、前記垂下部の下端から横方向に折れ曲がって延びる引掛け部と、前記引掛け部からさらに折れ曲がって上方に向けて延設された係止片部とを備えて略鉤状に形成され、
前記天井材支持部材に形成された係止孔に前記係止片部を挿入して引っ掛けて前記天井材支持部材に前記吊り部材接続用金具を接続するように構成されていることを特徴とする吊り天井構造。
【請求項２】
請求項１記載の吊り天井構造において、
前記吊り部材接続用金具の前記係止片部が、幅方向内側に折れ曲がって延び、さらに幅方向外側に折れ曲がって延びて、略Ｖ字状に形成された当接保持部を備えて形成され、
前記当接保持部が前記天井材支持部材に当接して引っ掛かって前記天井材支持部材に対して前記吊り部材接続用金具が保持されるように構成されていることを特徴とする吊り天井構造。
【請求項３】
請求項１または請求項２に記載の吊り天井構造において、
前記吊り部材接続用金具の前記係止片部や連接板部あるいは垂下部に、互いに連通するボルト挿通孔が形成され、
これらボルト挿通孔にボルトを挿通して締結することによって、前記天井材支持部材に対して前記吊り部材接続用金具が保持されるように構成されていることを特徴とする吊り天井構造。
【請求項４】
建物の上部構造に吊り部材を介して吊り下げ支持され、水平の一方向及び／又は前記一方向に直交する水平の他方向に所定の間隔をあけ、前記他方向及び／又は前記一方向に延設される天井材支持部材と、建物の上部構造に前記天井材支持部材を吊り下げ支持するための吊り部材とを接続するための吊り部材接続用金具であって、
前記天井材支持部材が、前記吊り部材の下端が吊り部材接続用金具を介して接続される接続部と、前記接続部の下端に繋がり、前記接続部から下方に延設された連接部と、前記連接部の下端に繋がり、前記一方向両側に延びる板状の支持部とを備えて断面逆Ｔ字型に形成されており、
前記吊り部材の下端側を接続するための連結部と、前記連結部から下方に延設された連接板部と、前記連接板部の下端に繋がって前記天井材支持部材に接続される係止部とを備え、
前記係止部が、上方から下方に向かって延設された垂下部と、前記垂下部の下端から横方向に折れ曲がって延びる引掛け部と、前記引掛け部からさらに折れ曲がって上方に向けて延設された係止片部とを備えて略鉤状に形成され、
前記天井材支持部材に形成された係止孔に前記係止片部を挿入して引っ掛けて前記天井材支持部材に接続するように構成されていることを特徴とする吊り部材接続用金具。
【請求項５】
請求項４記載の吊り部材接続用金具において、
前記係止片部が、幅方向内側に折れ曲がって延び、さらに幅方向外側に折れ曲がって延びて、略Ｖ字状に形成された当接保持部を備えて形成され、
前記当接保持部が前記天井材支持部材に当接して引っ掛かって前記天井材支持部材に対して保持されるように構成されていることを特徴とする吊り部材接続用金具。
【請求項６】
請求項４または請求項５に記載の吊り部材接続用金具において、
前記係止片部や連接板部あるいは垂下部に、互いに連通するボルト挿通孔が形成され、
これらボルト挿通孔にボルトを挿通して締結することによって、前記天井材支持部材に対して保持されるように構成されていることを特徴とする吊り部材接続用金具。
【発明の詳細な説明】
【技術分野】
【０００１】
本発明は、吊り天井構造及び天井下地を吊り下げ支持するための吊り部材接続用金具に関する。
【背景技術】
【０００２】
従来、建物の天井部の構造として、吊り天井が多用されている。また、例えば図４に示すように、水平の一方向Ｔ１に所定の間隔をあけ、一方向Ｔ１に直交する他方向Ｔ２に延びて並設された複数のＴバー（断面逆Ｔ型の天井材支持部材、天井下地２０）１と、上端側を上階の床材（上部構造）等に固着し、下端側をＴバー１に接続して配設された複数の吊りボルト（吊り部材）２と、一方向Ｔ１に隣り合うＴバー１に架け渡すように配設されて天井面３ａを形成する天井材（天井パネル）３とを備えて構成したライン天井、ライン型システム天井などと称する吊り天井構造Ａがある（例えば、特許文献１参照）。
【０００３】
また、このようなライン式の吊り天井構造Ａなどにおいては、天井材３に大重量の設備機器を取り付けたり、天井材３に輻射パネルを用いることがあり、規模の大きな地震時に応答が大きくなって、大きな振り幅で横揺れるとともに周囲の壁などに衝突し、天井材３や設備機器に破損が生じるおそれがある。このため、従来、図４に示すように、上部構造などに上端側を接続し、下端側をＴバー１に接続して補強ブレース４を設けるなどして、地震時の天井材３の横揺れを抑えるようにしている。
【０００４】
一方、図４及び図５に示すように、Ｔバー（天井材支持部材）１は、吊りボルト２の下端が接続される接続部５と、接続部５の下端に繋がり、接続部５から下方に延設された連接部６と、連接部６の下端に繋がり、水平の一方向Ｔ１両側に延びる板状の支持部７とを備えて断面逆Ｔ字型に形成されている。さらに、Ｔバー１は、略平板状の連接部６に対して幅方向（Ｔ１）両外側に膨出するように接続部５が一体形成して設けられている。そして、接続部５と吊りボルト２の下端側に吊り部材接続用金具（ハンガー）８を接続し、この吊り部材接続用金具８を介してＴバー１が吊りボルト２に吊り下げ支持される。
【０００５】
また、吊り部材接続用金具８は一対の接続用金具片９、１０を備えてなり、一方の接続用金具片９が、断面視で、下端にＴバー１の接続部５の一側部側に係合する係合凹部９ａと、係合凹部９ａの上端から上方に延設された接続板部９ｂとを備えて形成されている。他方の接続用金具片１０は、断面視で、下端にＴバー１の接続部５の他側部側に係合する係合凹部１０ａと、係合凹部１０ａの上端から上方に突設され、一方の接続用金具片９の接続板部９ｂに接続する接続板部１０ｂとを備えて形成されている。
【０００６】
そして、この吊り部材接続用金具８は、一方の接続用金具片９の係合凹部９ａと他方の接続用金具片１０の係合凹部１０ａとをそれぞれＴバー１の接続部５を内包するように係合させ、一方の接続用金具片９の接続板部９ｂに他方の接続用金具片１０の接続板部１０ｂを接続して設置される。また、吊りボルト２の下端側を一方の接続用金具片９の接続板部９ｂに接続する。これにより、Ｔバー１の接続部５が一方の接続用金具片９の係合凹部９ａと他方の接続用金具片１０の係合凹部１０ａとによって係止され、吊り部材接続用金具８を介して吊りボルト２にＴバー１ひいては天井材３が吊り下げ支持される。
【０００７】
また、このとき、一方の接続用金具片９の接続板部９ｂと他方の接続用金具片１０の接続板部１０ｂとを上部ボルト１１でボルト接合する。さらに、Ｔバー１の接続部５と他方の接続用金具片１０の係合凹部１０ａ（及び／又は一方の接続用金具片９の係合凹部９ａ）とをビス留めしたり、ボルト接合するケースもある。
【先行技術文献】
【特許文献】
【０００８】
【特許文献１】特開２００５−３５０９５０号公報
【発明の概要】
【発明が解決しようとする課題】
【０００９】
しかしながら、上記従来の吊り天井構造においては、吊り部材接続用金具の一対の接続用金具片が接続板部の下端に係合凹部を設けただけで形成され、Ｔバーの接続部に対し、上部ボルトの締め込みによる一対の係合凹部の摩擦力で接続支持するように構成されている。このため、鉛直方向に地震力、振動などの外力が作用すると、摩擦力が不足して一対の係合凹部から接続部が引き抜けてしまうおそれがあった。
【００１０】
また、吊り部材接続用金具の接続用金具片の係合凹部とＴバーの接続部をビス留めした場合においても、鉛直方向に地震力、振動などの外力が作用した際に、Ｔバーの接続部のビス留め部分に局所的に大きな力が作用してしまい、この部分が損傷し、やはり、一対の係合凹部から接続部が引き抜けるおそれがあった。
【００１１】
そして、このように吊り部材接続用金具とＴバーの接続状態が解除されてしまうと、天井下地、天井材の脱落や破損を招くことになる。
【００１２】
本発明は、上記事情に鑑み、吊り部材接続用金具と天井下地をより強固に接続することができ、天井材の落下等をより確実に抑止することを可能にする吊り天井構造及び吊り部材接続用金具を提供することを目的とする。
【課題を解決するための手段】
【００１３】
上記の目的を達するために、この発明は以下の手段を提供している。
【００１４】
本発明の吊り天井構造は、建物の上部構造に吊り部材を介して吊り下げ支持され、水平の一方向及び／又は前記一方向に直交する水平の他方向に所定の間隔をあけ、前記他方向及び／又は前記一方向に延設される天井材支持部材と、前記天井材支持部材に支持されて天井面を形成する板状の天井材とを備える吊り天井構造であって、前記天井材支持部材が、前記吊り部材の下端が吊り部材接続用金具を介して接続される接続部と、前記接続部の下端に繋がり、前記接続部から下方に延設された連接部と、前記連接部の下端に繋がり、前記一方向両側に延びる板状の支持部とを備えて断面逆Ｔ字型に形成されており、前記吊り部材接続用金具は、前記吊り部材の下端側を接続するための連結部と、前記連結部から下方に延設された連接板部と、前記連接板部の下端に繋がって前記天井材支持部材に接続される係止部とを備え、前記係止部が、上方から下方に向かって延設された垂下部と、前記垂下部の下端から横方向に折れ曲がって延びる引掛け部と、前記引掛け部からさらに折れ曲がって上方に向けて延設された係止片部とを備えて略鉤状に形成され、前記天井材支持部材に形成された係止孔に前記係止片部を挿入して引っ掛けて前記天井材支持部材に前記吊り部材接続用金具を接続するように構成されていることを特徴とする。
【００１５】
また、本発明の吊り天井構造においては、前記吊り部材接続用金具の前記係止片部が、幅方向内側に折れ曲がって延び、さらに幅方向外側に折れ曲がって延びて、略Ｖ字状に形成された当接保持部を備えて形成され、前記当接保持部が前記天井材支持部材に当接して引っ掛かって前記天井材支持部材に対して前記吊り部材接続用金具が保持されるように構成されていることが望ましい。
【００１６】
さらに、本発明の吊り天井構造においては、前記吊り部材接続用金具の前記係止片部や連接板部あるいは垂下部に、互いに連通するボルト挿通孔が形成され、これらボルト挿通孔にボルトを挿通して締結することによって、前記天井材支持部材に対して前記吊り部材接続用金具が保持されるように構成されていることがより望ましい。
【００１７】
本発明の吊り部材接続用金具は、建物の上部構造に吊り部材を介して吊り下げ支持され、水平の一方向及び／又は前記一方向に直交する水平の他方向に所定の間隔をあけ、前記他方向及び／又は前記一方向に延設される天井材支持部材と、建物の上部構造に前記天井材支持部材を吊り下げ支持するための吊り部材とを接続するための吊り部材接続用金具であって、前記天井材支持部材が、前記吊り部材の下端が吊り部材接続用金具を介して接続される接続部と、前記接続部の下端に繋がり、前記接続部から下方に延設された連接部と、前記連接部の下端に繋がり、前記一方向両側に延びる板状の支持部とを備えて断面逆Ｔ字型に形成されており、前記吊り部材の下端側を接続するための連結部と、前記連結部から下方に延設された連接板部と、前記連接板部の下端に繋がって前記天井材支持部材に接続される係止部とを備え、前記係止部が、上方から下方に向かって延設された垂下部と、前記垂下部の下端から横方向に折れ曲がって延びる引掛け部と、前記引掛け部からさらに折れ曲がって上方に向けて延設された係止片部とを備えて略鉤状に形成され、前記天井材支持部材に形成された係止孔に前記係止片部を挿入して引っ掛けて前記天井材支持部材に接続するように構成されていることを特徴とする。
【００１８】
また、本発明の吊り部材接続用金具においては、前記係止片部が、幅方向内側に折れ曲がって延び、さらに幅方向外側に折れ曲がって延びて、略Ｖ字状に形成された当接保持部を備えて形成され、前記当接保持部が前記天井材支持部材に当接して引っ掛かって前記天井材支持部材に対して保持されるように構成されていることが望ましい。
【００１９】
さらに、本発明の吊り部材接続用金具においては、前記係止片部や連接板部あるいは垂下部に、互いに連通するボルト挿通孔が形成され、これらボルト挿通孔にボルトを挿通して締結することによって、前記天井材支持部材に対して保持されるように構成されていることがより望ましい。
【発明の効果】
【００２０】
本発明の吊り天井構造及び吊り部材接続用金具においては、吊り部材接続用金具が、上方から下方に向かって延設された垂下部と、垂下部の下端から横方向に折れ曲がって延びる引掛け部と、引掛け部からさらに折れ曲がって上方に向けて延設された係止片部とを備えて略鉤状に形成されていることにより、天井材支持部材の係止孔に係止片部を挿通して引掛けることができる。
【００２１】
これにより、本実施形態の吊り部材接続用金具及びこれを備えた吊り天井構造においては、鉛直方向に地震力、振動などの外力が作用した際に、吊り部材接続用金具から天井材支持部材が引き抜けることを防止することが可能になる。すなわち、鉛直地震力や補強ブレース周りの鉛直方向の地震力に対し、天井材や天井下地の脱落などが生じない信頼性の高い吊り天井構造を実現することが可能になる。
【００２２】
また、吊り部材接続用金具の係止片部の上端側に、横方向の幅方向内側に折れ曲がって延び、さらに幅方向外側に折れ曲がって延びて、略Ｖ字状に形成された当接保持部を備えて形成された場合には、この当接保持部を天井材支持部材の上端の接続部に当接して引っ掛けることができる。これにより、確実に天井材支持部材に対して吊り部材接続用金具を接続することができ、より信頼性の高い吊り天井構造を実現することが可能になる。
【００２３】
また、吊り部材接続用金具を天井材支持部材の係止孔に挿通して引掛けるとともに、吊り部材接続用金具の係止部の係止片部の先端側や連接板部あるいは垂下部に形成したボルト挿通孔が互いに連通することにより、これらボルト挿通孔にボルトを挿通して締結することによって、より確実に天井材支持部材に対して吊り部材接続用金具を一体に保持することができる。これにより、確実に天井材支持部材に対して吊り部材接続用金具を接続することができ、さらに信頼性の高い吊り天井構造を実現することが可能になる。
【図面の簡単な説明】
【００２４】
【図１】本発明の一実施形態に係る吊り天井構造及び吊り部材接続用金具を示す図である。
【図２】本発明の一実施形態に係る吊り部材接続用金具の６面図である。
【図３】本発明の一実施形態に係る吊り部材接続用金具を天井材支持部材に取り付ける状況を示す図である。
【図４】天井裏側から見た吊り天井構造を示す斜視図である。
【図５】従来の吊り天井構造及び吊り部材接続用金具を示す図である。
【発明を実施するための形態】
【００２５】
以下、図１から図４を参照し、本発明の一実施形態に係る吊り天井構造及び吊り部材接続用金具について説明する。
【００２６】
図４に示すように、本実施形態の吊り天井構造Ｂは、例えば、クリーンルームのように、ファンフィルターユニット等の大重量の設備機器を設置したり、天井材３として輻射パネルが適用されるライン式の吊り天井の構造である。
【００２７】
そして、この吊り天井（吊り天井構造）Ｂは、図１及び図４に示すように、水平の一方向Ｔ１に所定の間隔をあけ、一方向Ｔ１に直交する他方向Ｔ２に延びて並設された複数の天井材支持部材（Ｔバー）１と、上端側を上階の床材等の上部構造（建物の構造体）に接続し、下端側を天井材支持部材１に接続して配設された複数の吊り部材（吊りボルト）２と、一方向Ｔ１に隣り合う天井材支持部材１に架け渡すように配設されて天井面３ａを形成する天井材（天井パネル）３と、上部構造に上端側を接続し、天井材支持部材１に下端側を接続して斜設された補強ブレース４とを備えて構成されている。
【００２８】
本実施形態において、天井材支持部材１は、Ｔバーであり、吊り部材２の下端が接続される接続部５と、接続部５の下端に繋がり、接続部５から下方に延設された連接部６と、連接部６の下端に繋がり、水平の一方向Ｔ１両側に延びる板状の支持部７とを備えて断面逆Ｔ字型に形成されている。さらに、天井材支持部材１は、略平板状の連接部６の上端に幅方向（Ｔ１）両外側に膨出するように接続部５が一体形成されている。
【００２９】
吊り部材２は、円柱棒状に形成されるとともに外周面に雄ネジの螺刻を有する吊りボルトであり、上端を上階の床材等の上部構造（建物躯体）に固着、または鋼製の根太等に緊結して垂下され、下端側を吊り部材接続用金具（ハンガー）１５で天井材支持部材１に接続して複数配設されている。また、複数の吊り部材２は、所定の間隔をあけて分散配置されている。
【００３０】
天井材（天井パネル）３は、２枚のボードを貼り付けて一体に積層形成したものであり、例えば天井付帯設備等の重量と併せて、１ｍ２あたり２０ｋｇ程度の重量で形成されている。そして、この天井材３は、複数の天井材支持部材１の支持部７に端部側を上載して支持され、隣り合う天井材支持部材１の間に架け渡すようにして設置されている。なお、天井材３は、天井材支持部材１の支持部７に下面側からビス留めするなどして設置されていてもよい。また、天井材３は、１枚および３枚以上のボードで構成されていてもよい。
【００３１】
そして、この吊り天井Ｂでは、吊り部材２を介して建物の上部構造に、天井材支持部材１と天井材３とが吊り下げ支持されている。また、天井材支持部材１によって天井下地２０が形成され、この天井下地２０と天井下地２０に取り付けた天井材３によって天井部１６、この天井部１６によって下階の天井面３ａが形成されている。
【００３２】
一方、本実施形態の吊り天井Ｂにおいて、天井材支持部材１には、連接部６の所定位置に一側面から他側面に貫通する係止孔１７が形成されている。
【００３３】
また、図１及び図２、図３に示すように、天井材支持部材１と吊り部材２を接続するための吊り部材接続用金具１５は、下端側に設けられ、天井材支持部材１に接続される係止部１８と、係止部１８の上端から上方に延設された連接板部１９と、連接板部１９の上端に略直角に折れ曲がって繋がる連結部２１とを備えて構成されている。また、連結部２１には、上面から下面に貫通し、吊り部材２の下端側を挿通するとともにナット２２を締結して、吊り部材２の下端側と吊り部材接続用金具１５を接続するための吊り部材挿通孔２３が形成されている。
【００３４】
さらに、吊り部材接続用金具１５の係止部１８は、上方から下方に向かって延設された垂下部１８ａと、垂下部１８ａの下端から横方向に折れ曲がって延びる引掛け部１８ｂと、引掛け部１８ｂからさらに折れ曲がって上方に向けて延設された係止片部１８ｃとを備えて略鉤状に形成されている。また、折れ曲がって上方に延設された係止片部１８ｃは、断面視で、横方向Ｔ１の幅方向内側に折れ曲がって延び、さらに幅方向Ｔ１外側に折れ曲がって延びて、略Ｖ字状に形成された当接保持部１８ｄを備えて形成されている。
なお、この吊り部材接続用金具１５の係止部１８は、例えばＵ字状（略Ｕ字状）に形成されていてもよい。
【００３５】
また、吊り部材接続用金具１５の係止部１８の係止片部１８ｃの先端側や連接板部１９（あるいは垂下部１８ａ）には、互いに連通するボルト挿通孔２４、２５が形成されていることが好ましい。
【００３６】
そして、上記構成からなる吊り部材接続用金具１５（及びこれを備えた吊り天井Ｂ）においては、図１及び図３に示すように、天井材支持部材１の連接部６に形成された係止孔１７に、連接部６の一側面側から係止片部１８ｃを挿入し、連接部６の他側面側に係止片部１８ｃを配設するとともに係止孔１７の上端に引掛け部１８ｂを引掛ける。これにより、吊り部材接続用金具１５と天井材支持部材１が接続され、この吊り部材接続用金具１５を介して天井材支持部材１が吊り部材２に吊り下げ支持される。
【００３７】
また、このとき、天井材支持部材１の他側面側に配設された吊り部材接続用金具１５の係止片部１８ｃの当接保持部１８ｄが天井材支持部材１の接続部５の上端よりも僅かに上方に配され、この略Ｖ字状の当接保持部１８ｄが天井材支持部材１の上端の接続部５に当接して引っ掛かる。これにより、天井材支持部材１に対して吊り部材接続用金具１５が一体に保持される。
【００３８】
さらに、吊り部材接続用金具１５の係止部１８の係止片部１８ｃの先端側や連接板部１９（あるいは垂下部１８ａ）にボルト挿通孔２４、２５を設けた場合には、上記のように吊り部材接続用金具１５を天井材支持部材１の係止孔１７に挿通して引掛けるとともに、これらのボルト挿通孔２４、２５が天井材支持部材１の上端の接続部５よりも上方で互い連通する。このため、これらボルト挿通孔２４、２５にボルト１１を挿通して締結することによって、より確実に天井材支持部材１に対して吊り部材接続用金具１５が一体に保持されることになる。
【００３９】
これにより、本実施形態の吊り部材接続用金具１５（及びこれを備えた吊り天井Ｂ）においては、鉛直方向に地震力、振動などの外力が作用しても、吊り部材接続用金具１５の略鉤状の係止部１８が天井材支持部材１の係止孔１７に挿通して係止されているため、従来のように吊り部材接続用金具１５から天井材支持部材１が引き抜けることがない。
【００４０】
したがって、本実施形態に係る吊り天井構造Ｂ及び吊り部材接続用金具１５においては、吊り部材接続用金具１５が、上方から下方に向かって延設された垂下部１８ａと、垂下部１８ａの下端から横方向に折れ曲がって延びる引掛け部１８ｂと、引掛け部１８ｂからさらに折れ曲がって上方に向けて延設された係止片部１８ｃとを備えて略鉤状に形成されていることにより、天井材支持部材１の係止孔１７に係止片部１８ｃを挿通して引掛けることができる。
【００４１】
これにより、本実施形態の吊り部材接続用金具１５（及びこれを備えた吊り天井Ｂ）においては、鉛直方向に地震力、振動などの外力が作用した際に、吊り部材接続用金具１５から天井材支持部材１が引き抜けることを防止することが可能になる。すなわち、鉛直地震力や補強ブレース４周りの鉛直方向の地震力に対し、天井材３や天井下地２０の脱落などが生じない信頼性の高い吊り天井構造Ｂを実現することが可能になる。
【００４２】
また、吊り部材接続用金具１５の係止片部１８ｃの上端側に、横方向Ｔ１の幅方向内側に折れ曲がって延び、さらに幅方向Ｔ１外側に折れ曲がって延びて、略Ｖ字状に形成された当接保持部１８ｄを備えて形成され、この当接保持部１８ｄを天井材支持部材１の上端の接続部５に当接して引っ掛けることができる。これにより、確実に天井材支持部材１に対して吊り部材接続用金具１５を接続することができ、より信頼性の高い吊り天井構造Ｂを実現することが可能になる。
【００４３】
また、吊り部材接続用金具１５を天井材支持部材１の係止孔１７に挿通して引掛けるとともに、吊り部材接続用金具１５の係止部１８の係止片部１８ｃの先端側や連接板部１９（あるいは垂下部１８ａ）に形成したボルト挿通孔２４、２５が天井材支持部材１の上端の接続部５よりも上方で互い連通する。このため、これらボルト挿通孔２４、２５にボルト１１を挿通して締結することによって、より確実に天井材支持部材１に対して吊り部材接続用金具１５を一体に保持することができる。これにより、確実に天井材支持部材１に対して吊り部材接続用金具１５を接続することができ、さらに信頼性の高い吊り天井構造Ｂを実現することが可能になる。
【００４４】
そして、上記のように天井材支持部材１が吊り部材接続用金具１５から引き抜けることを防止できることにより、例えば、０．４ｍｍ厚の天井材支持部材１を用いた場合において、天井材重量を２０ｋｇ／ｍ２としたり、地震時加速度が１．５Ｇを超えるケースであっても、耐震性を確保することが可能になる。
【００４５】
また、吊り部材接続用金具１５から天井材支持部材１が引き抜けることを防止できることで、レの字状やＶ字状等、補強ブレース４の配置バリエーションの自由度を高めることも可能になる。言い換えれば、吊り天井構造Ｂの設計自由度を高めることが可能になる。
【００４６】
以上、本発明に係る吊り天井構造及び吊り部材接続用金具の一実施形態について説明したが、本発明は上記の一実施形態に限定されるものではなく、その趣旨を逸脱しない範囲で適宜変更可能である。
【００４７】
例えば、吊り部材接続用金具１５の係止片部１８ｃ及び／又は垂下部１８ａをビスやボルトを用いて天井材支持部材１の接続部５に接合するようにしてもよい。この場合には、さらに強固に吊り部材接続用金具１５と天井材支持部材１を接続することができ、確実に吊り部材接続用金具１５から天井材支持部材１が引き抜けることを防止することが可能になる。
【００４８】
また、本実施形態では、吊り天井構造Ｂがライン式の吊り天井であるものとした。すなわち、本実施形態では、水平の一方向Ｔ１に所定の間隔をあけ、一方向Ｔ１に直交する他方向Ｔ２に延びて並設された複数の天井材支持部材（Ｔバー）１を備えて天井下地２０（天井部１６）が形成されているものとし、本発明に係る吊り部材接続用金具が天井材支持部材のＴバー１と吊り部材２を接続するものとして説明を行った。
【００４９】
これに対し、本発明に係る吊り天井構造は、水平の一方向及び一方向に直交する水平の他方向に所定の間隔をあけ、他方向及び／又は一方向に延設される天井材支持部材を備えて構成されていてもよい。すなわち、本発明に係る吊り天井構造は、水平の一方向と他方向にそれぞれ所定の間隔をあけて天井材支持部材を組み付けて格子状の天井下地（天井部）を備えたシステム天井などの吊り天井構造であってもよい。
【符号の説明】
【００５０】
１      天井材支持部材（Ｔバー）
２      吊り部材
３      天井材
３ａ    天井面
４      補強ブレース
５      接続部
６      連接部
７      支持部
８      従来の吊り部材接続用金具（ハンガー）
９      従来の一方の接続用金具片
９ａ    係合凹部
９ｂ    接続板部
１０    従来の他方の接続用金具片
１０ａ  係合凹部
１０ｂ  接続板部
１１    上部ボルト
１５    吊り部材接続用金具（ハンガー）
１６    天井部
１７    係止孔
１８    係止部
１８ａ  垂下部
１８ｂ  引掛け部
１８ｃ  係止片部
１８ｄ  当接保持部
１９    連接板部
２０    天井下地
２１    連結部
２２    ナット
２３    吊り部材挿通孔
２４    ボルト挿通孔
２５    ボルト挿通孔
Ａ      従来の吊り天井構造
Ｂ      吊り天井構造
Ｔ１    一方向（横方向）
Ｔ２    他方向（横方向）
Ｔ３    上下方向
【図１】
2015074890.tif 000003
【図２】
2015074890.tif 000004
【図３】
2015074890.tif 000005
【図４】
2015074890.tif 000006
【図５】
2015074890.tif 000007